(57)【要約】【課題】手動変速機付き車両において、エンジン１の再始動の際の車両の後退を確実に防止する。【解決手段】始動モータ５４を用いてエンジン１を始動させるスタータ始動手段４１と、停止中のエンジン１において圧縮行程にある気筒１２内に燃料を噴射して点火することにより、エンジン１を一旦、逆転作動させると共に、これに伴い圧縮される膨張行程にある気筒１２内に燃料を噴射すると共に、前記の逆転作動後に点火することによりエンジン１を始動させる燃焼始動手段４２と、を備える。自動停止始動手段２は、エンジン１の停止中にクラッチ機構５１を開放するクラッチオン条件を含む、所定の始動条件が成立したときに手動変速機５２がニュートラル状態にあるときには、燃焼始動手段４２によりエンジン１を始動させ、手動変速機５２がギヤイン状態にあるときには、スタータ始動手段４１によりエンジン１を始動させる。【選択図】図３
2008215299.tif 000002
【特許請求の範囲】
【請求項１】
車両に搭載されたエンジンと、
シフト操作に応じてギヤイン状態とニュートラル状態とに切り替えられる手動変速機と、
前記エンジンと手動変速機との間に介設されかつ、クラッチ操作に応じて締結・開放されることにより、前記エンジンから前記手動変速機側へのトルクの伝達・遮断を切り替えるクラッチ機構と、
始動モータを用いて前記エンジンを始動させるスタータ始動手段と、
停止中の前記エンジンにおいて圧縮行程にある気筒内に燃料を噴射して点火することにより、前記エンジンを一旦、逆転作動させると共に、これに伴い圧縮される膨張行程にある気筒内に燃料を噴射すると共に、前記の逆転作動後に点火することにより前記エンジンを始動させる燃焼始動手段と、
所定の停止条件が成立したときに前記エンジンを自動的に停止させると共に、前記エンジンの停止中に前記クラッチ機構を開放するクラッチオン条件を含む、所定の始動条件が成立したときに前記エンジンを自動的に始動させる自動停止始動手段と、を備え、
前記自動停止始動手段は、前記所定の始動条件が成立したときに前記手動変速機がニュートラル状態にあるときには前記燃焼始動手段により前記エンジンを始動させ、前記所定の始動条件が成立したときに前記手動変速機がギヤイン状態にあるときには前記スタータ始動手段により前記エンジンを始動させるエンジンの自動停止始動装置。
【請求項２】
車両に搭載されたエンジンと、
シフト操作に応じてギヤイン状態とニュートラル状態とに切り替えられる手動変速機と、
前記エンジンと手動変速機との間に介設されかつ、クラッチ操作に応じて締結・開放されることにより、前記エンジンから前記手動変速機側へのトルクの伝達・遮断を切り替えるクラッチ機構と、
停止中の前記エンジンにおいて圧縮行程にある気筒内に燃料を噴射して点火することにより、前記エンジンを一旦、逆転作動させると共に、これに伴い圧縮される膨張行程にある気筒内に燃料を噴射すると共に、前記の逆転作動後に点火することにより前記エンジンを始動させる燃焼始動手段と、
所定の停止条件が成立したときに前記エンジンを自動的に停止させると共に、前記エンジンの停止中に前記クラッチ機構を開放するクラッチオン条件を含む、所定の始動条件が成立したときに前記エンジンを自動的に始動させる自動停止始動手段と、を備え、
前記自動停止始動手段は、前記所定の始動条件が成立したときに前記手動変速機がニュートラル状態にあるときには前記燃焼始動手段により前記エンジンを始動させ、前記所定の始動条件が成立したときに前記手動変速機がギヤイン状態にあるときには前記エンジンの始動を禁止するエンジンの自動停止始動装置。
【発明の詳細な説明】
【技術分野】
【０００１】
本発明は、所定の始動条件が成立したときに、自動停止させたエンジンを再始動させる手動変速機付き車両用エンジンの自動停止始動装置に関する。
【背景技術】
【０００２】
従来より、燃費やエミッション性の向上を目的として、車速が零になることを含む所定の停止条件が成立したときに、エンジンを自動的に停止させると共に、エンジンの停止中に所定の始動条件が成立したときに、当該エンジンを自動的に始動させる、いわゆるアイドルストップを行うシステムが知られている（例えば特許文献１参照）。この特許文献１に開示されたシステムでは、エンジンに対しクラッチ機構を介して手動変速機が接続された構成を有しており、このように手動変速機を組み合わせたアイドルストップシステムにおいては、クラッチペダルを踏み込み操作してクラッチ機構を開放する（クラッチオン）ことが、エンジンの始動条件の１つとして設定されていることが一般的である。
【０００３】
また、エンジンの始動を、停止状態で膨張行程にある気筒内に燃焼を噴射して点火することによって行う、いわゆる燃焼始動と呼ばれる始動方法が知られている。この燃焼始動は、詳細には、停止状態で圧縮行程にある気筒内に燃料を噴射して点火することによりエンジンを一旦、逆転作動させ、それによって圧縮される膨張行程にある気筒内に燃料を噴射して点火を行うことにより、エンジンを始動させる。このようにエンジンを一旦、逆転作動させることによって、始動トルクを増大させてエンジンの始動性を向上させることができる。
【特許文献１】特許第２９２９７４０号公報
【発明の開示】
【発明が解決しようとする課題】
【０００４】
ところが、前記の燃焼始動を行うエンジンと手動変速機との組み合わたアイドルストップシステムでは、クラッチオンでエンジンを再始動しようとしたときに、手動変速機がギヤイン状態でかつそのクラッチ操作が素早く行われてしまうと、エンジンが逆転作動している最中にクラッチが締結されることになって、車両が後退してしまうという不都合がある。
【０００５】
本発明は、かかる点に鑑みてなされたものであり、その目的とするところは、手動変速機付き車両において、エンジンの再始動の際の車両の後退を確実に防止することにある。
【課題を解決するための手段】
【０００６】
本発明の一側面によると、手動変速機付き車両用エンジンの自動停止始動装置は、車両に搭載されたエンジンと、シフト操作に応じてギヤイン状態とニュートラル状態とに切り替えられる手動変速機と、前記エンジンと手動変速機との間に介設されかつ、クラッチ操作に応じて締結・開放されることにより、前記エンジンから前記手動変速機側へのトルクの伝達・遮断を切り替えるクラッチ機構と、始動モータを用いて前記エンジンを始動させるスタータ始動手段と、停止中の前記エンジンにおいて圧縮行程にある気筒内に燃料を噴射して点火することにより、前記エンジンを一旦、逆転作動させると共に、これに伴い圧縮される膨張行程にある気筒内に燃料を噴射すると共に、前記の逆転作動後に点火することにより前記エンジンを始動させる燃焼始動手段と、所定の停止条件が成立したときに前記エンジンを自動的に停止させると共に、前記エンジンの停止中に前記クラッチ機構を開放するクラッチオン条件を含む、所定の始動条件が成立したときに前記エンジンを自動的に始動させる自動停止始動手段と、を備え、前記自動停止始動手段は、前記所定の始動条件が成立したときに前記手動変速機がニュートラル状態にあるときには前記燃焼始動手段により前記エンジンを始動させ、前記所定の始動条件が成立したときに前記手動変速機がギヤイン状態にあるときには前記スタータ始動手段により前記エンジンを始動させる。
【０００７】
この構成によると、自動停止始動手段は、クラッチ機構を開放するクラッチオン条件を含む所定の始動条件が成立したときに、手動変速機がニュートラル状態にあるときには、燃焼始動手段によりエンジンを始動させる。この場合、エンジンが逆転作動している最中にクラッチが仮に締結されたとしても、手動変速機がニュートラル状態であるため、車両は後退しない。
【０００８】
一方、手動変速機がギヤイン状態にあるときには、燃焼始動手段によりエンジンを始動させる代わりに、スタータ始動手段によりエンジンを始動させる。これにより、エンジンの逆転作動はないため、始動モータによるエンジンの始動の最中にクラッチが仮に締結されたとしても、車両は後退しない。
【０００９】
従ってこの構成では、燃焼始動が可能なエンジンと手動変速機とを組み合わせたシステムにおいて、エンジンの再始動時における車両の後退が確実に回避される。
【００１０】
本発明の他の側面によると、手動変速機付き車両用エンジンの自動停止始動装置は、車両に搭載されたエンジンと、シフト操作に応じてギヤイン状態とニュートラル状態とに切り替えられる手動変速機と、前記エンジンと手動変速機との間に介設されかつ、クラッチ操作に応じて締結・開放されることにより、前記エンジンから前記手動変速機側へのトルクの伝達・遮断を切り替えるクラッチ機構と、停止中の前記エンジンにおいて圧縮行程にある気筒内に燃料を噴射して点火することにより、前記エンジンを一旦、逆転作動させると共に、これに伴い圧縮される膨張行程にある気筒内に燃料を噴射すると共に、前記の逆転作動後に点火することにより前記エンジンを始動させる燃焼始動手段と、所定の停止条件が成立したときに前記エンジンを自動的に停止させると共に、前記エンジンの停止中に前記クラッチ機構を開放するクラッチオン条件を含む、所定の始動条件が成立したときに前記エンジンを自動的に始動させる自動停止始動手段と、を備え、前記自動停止始動手段は、前記所定の始動条件が成立したときに前記手動変速機がニュートラル状態にあるときには前記燃焼始動手段により前記エンジンを始動させ、前記所定の始動条件が成立したときに前記手動変速機がギヤイン状態にあるときには前記エンジンの始動を禁止する。
【００１１】
この構成によると、自動停止始動手段は、所定の始動条件が成立したときに、手動変速機がニュートラル状態にあるときには、燃焼始動手段により前記エンジンを始動させる。エンジンが逆転作動している最中にクラッチが仮に締結されたとしても、手動変速機がニュートラル状態であるため、車両は後退しない。
【００１２】
一方、手動変速機がギヤイン状態にあるときには、エンジンを始動自体を禁止する。これにより、エンジンの再始動に伴う車両の後退は防止される。尚、この場合は、例えばエンジンストールの状態にして、運転者のイグニッション操作によりエンジンを再始動させるようにしてもよい。
【００１３】
従ってこの構成では、燃焼始動が可能なエンジンと手動変速機とを組み合わせたシステムにおいて、車両の後退が確実に回避される。
【発明の効果】
【００１４】
以上説明したように、本発明によると、始動条件が成立したときに、手動変速機がニュートラル状態にあるときには、燃焼始動手段によってエンジンを再始動させる一方、手動変速機がギヤイン状態にあるときには、燃焼始動手段によるエンジンの再始動を禁止することで、エンジンの再始動時に車両が後退することを確実に防止することができる。
【発明を実施するための最良の形態】
【００１５】
以下、本発明の実施形態を図面に基づいて説明する。尚、以下の好ましい実施形態の説明は、本質的に例示に過ぎず、本発明、その適用物或いはその用途を制限することを意図するものではない。
【００１６】
−アイドルストップシステムの概略構成−
図１及び図２は、本実施形態に係るエンジンの自動停止始動装置を含むアイドルストップシステムの実施形態を示し、このシステムＥは、シリンダヘッド１０及びシリンダブロック１１を備えたエンジン１と、該エンジン１を制御するためのＥＣＵ２（エンジンコントローラ）とを備えている。前記エンジン１には、図２に示すように４つの気筒１２Ａ〜１２Ｄが設けられていて、該各気筒１２Ａ〜１２Ｄの内部には、図１に示すように、クランク軸３に連結されるピストン１３がそれぞれ嵌挿され、これにより、前記各気筒１２Ａ〜１２Ｄ内部でピストン１３の上方には燃焼室１４が形成されている。
【００１７】
ここで、一般的に、多気筒４サイクルエンジンにおいては、各気筒が所定の位相差をもって吸気、圧縮、膨張、排気の各行程からなる燃焼サイクルを行うようになっており、この実施形態の４気筒エンジンの場合、気筒列方向一端側から１番気筒１２Ａ、２番気筒１２Ｂ、３番気筒１２Ｃ、４番気筒１２Ｄと呼ぶと、１番気筒（＃１）、３番気筒（＃３）、４番気筒（＃４）、２番気筒（＃２）の順にクランク角で１８０度ずつの位相差をもって燃焼が行われるようになっている。そうして、エンジン１の駆動に伴う出力トルクは、クランク軸３に対しクラッチ機構５１を介して連結された手動変速機５２を通じて駆動輪５３に伝達されることになる。尚、図示は省略するが、クラッチ機構５１には、運転者が踏み込み操作をするクラッチペダル及び、クラッチペダルの踏み込み操作時（クラッチ機構５１の開放時）にオンとなるクラッチスイッチが含まれ、手動変速機５２には、運転者が手動で操作するシフトレバー及び、シフトレバーがニュートラル位置にある（手動変速機５２がニュートラル状態にあってギヤイン状態ではない）ときにオンとなるニュートラルスイッチが含まれる。クラッチスイッチ及びニュートラルスイッチの出力はそれぞれ、後述するようにＥＣＵ２に入力される。
【００１８】
前記各気筒１２Ａ〜１２Ｄのそれぞれの燃焼室１４の頂部には、該燃焼室１４内の混合気に点火して燃焼させるための点火プラグ１５が設けられていて、それらの各点火プラグ１５先端の電極が前記燃焼室１４を臨むように配置されている。また、前記燃焼室１４の側方（図１の右方向）には、先端の噴孔を燃焼室１４に臨ませて燃料噴射弁１６が配設されている。この燃料噴射弁１６は、図示しないニードル弁及びソレノイドを内蔵し、前記ＥＣＵ２からのパルス信号の入力によりそのパルス幅に対応する時間だけ開弁駆動されて、その駆動時間に応じた量の燃料を各気筒１２Ａ〜１２Ｄ内に直接、噴射するように構成されている。そして、その燃料の噴射方向が前記点火プラグ１５の電極付近に向かうように調整されている。
【００１９】
また、前記燃料噴射弁１６には、図示しないが、燃料ポンプにより燃料供給通路等を介して燃料が供給されるようになっており、その燃料供給圧は、各気筒１２Ａ〜１２Ｄの圧縮行程中期以降で高圧の気筒内燃焼室１４に燃料を噴射できるように、その燃焼室１４の圧力よりも高い値に設定されている。
【００２０】
前記各気筒１２Ａ〜１２Ｄの燃焼室１４の上部には、該燃焼室１４に向かって開口する吸気ポート１７及び排気ポート１８が設けられていて、これらのポート１７，１８に吸気弁１９及び排気弁２０がそれぞれ配設されている。これらの吸気弁１９及び排気弁２０は、図示省略のカムシャフト等からなる動弁機構により駆動され、上述のとおり、各気筒１２Ａ〜１２Ｄが所定の位相差をもって燃焼サイクルを行うように、該各気筒毎の吸・排気弁１９，２０の開閉タイミングが設定されている。
【００２１】
また、前記吸気ポート１７及び排気ポート１８にそれぞれ連通するように吸気通路２１及び排気通路２２が設けられており、図２に示すように、前記吸気ポート１７に近い吸気通路２１の下流側は各気筒１２Ａ〜１２Ｄ毎に独立の分岐吸気通路２１ａとされ、この各分岐吸気通路２１ａの上流端がそれぞれサージタンク２１ｂに連通している。このサージタンク２１ｂよりも上流の吸気通路２１は各気筒１２Ａ〜１２Ｄに共通の共通吸気通路２１ｃであり、この通路２１ｃには例えばバタフライ弁により通路断面積を調節して吸気流を絞るスロットル弁２３と、これを駆動するアクチュエータ２４とが配設され、さらに、図２にのみ示すが、スロットル弁２３の上流側には吸気量を検出するためのエアフローセンサ２５が配設されている。
【００２２】
一方、前記各気筒１２Ａ〜１２Ｄからの排気が集合する排気通路２２の集合部下流には、排気を浄化するための触媒２９が配設されている。この触媒２９は、いわゆる三元触媒とすればよいが、これに限るものではなく、例えば、いわゆるリーンＮＯｘ触媒であってもよい。
【００２３】
また、前記エンジン１には、ベルト等によりクランク軸３に駆動連結されたオルタネータ２８が付設されており、このオルタネータ２８によって発電された電力は、図示省略のバッテリに蓄電されるようになっている。
【００２４】
さらに、前記エンジンシステムＥには、前記クランク軸３の回転角を検出する２つのクランク角センサ３０，３１が設けられており、主に一方のクランク角センサ３０からの信号に基づいてエンジン回転速度を求めるとともに、それら２つのクランク角センサ３０，３１から出力される互いに位相のずれたクランク角信号によって、前記クランク軸３の回転方向及び回転角度を検出するようになっている。加えて、このエンジンシステムＥには、カムシャフトの特定の回転位置を検出して気筒識別信号として出力するカム角センサ３２、エンジン１の運転・停止を手動で切替えるオンオフ操作が行われるイグニッションスイッチ３３（ＩＧスイッチ）、アクセル操作量を検出するアクセル開度センサ３４等が配設されている。また、符号５６は、運転者に対する各種の警告を行うための、ワーニングランプやワーニングブザー等を含む警告装置であり、警告装置５６は、ＥＣＵ２によって作動される。
【００２５】
前記ＥＣＵ２は、前記各センサ及びスイッチ２５，３０〜３４並びに、前記のクラッチスイッチ及びニュートラルスイッチからの信号を受け、前記燃料噴射弁１６に対して燃料噴射量及びその噴射時期を制御する信号を出力するとともに、点火プラグ１５の点火装置２７に対して点火時期を制御する信号を出力し、さらに、前記スロットル弁２３のアクチュエータ２４に対してスロットル開度を制御する信号を出力する。そして、以下に詳述するが、前記ＥＣＵ２は、アイドル時において所定のエンジン停止条件が成立したときに、各気筒１２Ａ〜１２Ｄへの燃料供給を停止して（燃料カット）自動的にエンジン１を停止させるとともに、その後、運転者のアクセル操作等により所定のエンジン再始動条件が成立したときには、自動的にエンジン１を再始動させるようになっている。
【００２６】
ここで、本実施形態に係るエンジン１は、その再始動に際し、後述する始動モータ５４の力を借りることなく、エンジン１を自力で始動させることが可能にされている。すなわち、まず、ピストン１３が圧縮行程の途中で停止している気筒１２で最初の燃焼を行わせて、ピストン１３を押し下げることにより、クランク軸３を少しだけ逆転させ、これにより、膨張行程にある気筒１２のピストン１３を上昇させて、この気筒１２内の混合気を圧縮する。そして、そのようにして圧縮されて温度及び圧力の高くなった膨張行程気筒１２内の混合気に点火して、燃焼させることにより、クランク軸３に正転方向のトルクを与えて、エンジン１を始動するようにしている（いわゆる燃焼始動）。
【００２７】
そのようにエンジン１を自力で始動させるためには、停止時に膨張行程にある気筒１２の燃焼によってクランク軸３にできるだけ大きな正転方向のトルクを与え、これにより、続いて圧縮上死点（以下、ＴＤＣと略称）を迎える気筒１２が、その圧縮反力（圧縮圧力）に打ち勝ってＴＤＣを越えるようにしなければならない。従って、エンジン１の確実な始動のためには前記停止時膨張行程気筒１２内に燃焼のための空気を十分に確保しておく必要がある。
【００２８】
それと共に、エンジンの始動性を高める上では、膨張行程にある気筒１２のピストン１３の停止位置を、再始動に好適な所定範囲内に収めるようにする必要がある。
【００２９】
そのために、前記のエンジン１は、その自動停止時に、スロットル弁２３の開度調整による停止時圧縮行程気筒１２や膨張行程気筒１２内への吸入空気量を調整したり、オルタネータ２８の発電量の調整によるエンジン１の外部負荷の調整を行ったりする。
【００３０】
但し、そのような自動停止時の制御を行っても、種々の要因により、膨張行程にある気筒１２のピストン１３の停止位置が所定範囲内に収まらない場合があり、その場合には、燃焼始動によるエンジン１の再始動を行わずに、始動モータ５４による始動を行うことが望ましい。
【００３１】
前記エンジン１には、エンジン１を最初に始動するときや、前述した燃焼始動によるエンジン１の再始動が不可能なときにエンジンを始動するために、始動モータ５４が設けられている。この始動モータ５４は、前記クランク軸３に固定されたリングギヤ５５に噛み合うピニオンギヤを備えており、このピニオンギヤは、リングギヤに噛み合う噛合位置と、リングギヤから離れた退避位置との間を往復移動可能にされている。始動モータ５４によってエンジン１を再始動する際には、ＥＣＵ２による制御に従って、ピニオンギヤを移動させてリングギヤ５５に噛み合わせると共に始動モータ５４を駆動させることによって、クランク軸３を回転駆動させることになる。
【００３２】
−エンジンの自動停止始動制御−
次に、前記ＥＣＵ２によりエンジン１を自動で停止及び再始動する制御について、図３を参照しながら説明する。なお、図３は自動停止始動制御の手順を示すフローチャート図である。
【００３３】
先ずステップＳ１においては、エンジン停止条件が成立したか否かを判定する。ここでエンジン停止条件としては、例えば車速が所定速度よりも小さいこと、ブレーキが作動していること、エンジン水温が所定温度以上であること等が挙げられる。エンジン停止条件が成立していないのＮＯのときには、このステップＳ１を繰り返すのに対し、エンジン停止条件が成立したのＹＥＳのときには、ステップＳ２に移行する。
【００３４】
ステップＳ２では、エンジン１の自動停止を行うべく燃料カットを開始し、続くステップＳ３でエンジン１が停止したか否かを判定する。エンジン１が停止していないのＮＯのときにはステップＳ３を繰り返して燃料カットの状態を継続する一方、エンジン１が停止したのＹＥＳのときにはステップＳ４に移行する。尚、エンジン１を停止させている最中には、前述したように、スロットル弁２３の開度調整制御及びオルタネータ２８の発電量調整制御が行われ、それによって、エンジン１の停止時に膨張行程にある気筒１２のピストン１３の停止位置が所定範囲内に収まるようにする。
【００３５】
ステップＳ４以降の各ステップは、エンジン１の再始動制御に係り、先ずステップＳ４ではクラッチオン以外の再始動条件が成立したか否かを判定する。つまり、運転者がクラッチペダルの踏み込み操作を行って車両を発進させようとする条件以外で、エンジン１を再始動させる必要が生じたか否かを判定する。ここでの条件としては、バッテリ電圧が所定値以下になって、エンジン１及びオルタネータ２８の作動によりバッテリを充電する必要があるという条件、空調装置を作動させるべく、エンジン１及び空調用コンプレッサ（図示省略）を作動させる必要があるという条件、エンジン１の吸気負圧を利用したブレーキブースタ（図示省略）のブレーキ負圧が所定値以下に低下したため、エンジン１の駆動させてブレーキ負圧を回復させる必要があるという条件、等が挙げられる。ステップＳ４の判定でＹＥＳのときには、ステップＳ５に移行する一方、ステップＳ４の判定でＮＯのときには、ステップＳ１１に移行する。
【００３６】
ステップＳ５では、手動変速機５２のニュートラルスイッチからの信号に基づいて、ニュートラルスイッチがＯＮであるか否かを判定し、ニュートラルスイッチがＯＮでない、つまり手動変速機５２がギヤイン状態であるのＮＯのときにはステップＳ６に移行して、ワーニングブザー及びワーニングランプを含む警告装置５６を作動させると共に、ステップＳ７でエンジンストール状態とする。つまり、ギヤイン状態でエンジン１を再始動した場合は車両の飛び出しや後退等が生じる虞があるため、エンジン１の再始動そのものを禁止する。この場合、運転者はＩＧスイッチ３３の操作によって、エンジン１を再始動することになる。
【００３７】
一方、ステップＳ５の判定で、ニュートラルスイッチがＯＮである、つまり手動変速機５２がニュートラル状態であるのＹＥＳのときにはステップＳ８に移行して、膨張行程にある気筒１２のピストン１３の停止位置が所定範囲内に収まっているか否かを判定する。つまり、燃焼始動が可能か否かを判定し、ピストン１３の停止位置が所定範囲内に収まっており、燃焼始動が可能であるのＹＥＳのときにはステップＳ９に移行して、前述したように、燃焼始動によりエンジン１を再始動させる。これに対し、ピストン１３の停止位置が所定範囲内に収まっておらず、燃焼始動が不可能であるのＮＯのときにはステップＳ１０に移行して、前述したように、始動モータ５４を用いてエンジン１を再始動させる。
【００３８】
前記ステップＳ４の判定でＮＯであるとして移行したステップＳ１１では、クラッチオンによって再始動条件が成立したか否かを判定する。運転者のクラッチペダルの踏み込み操作がされておらず再始動条件が成立していないのＮＯのときにはステップＳ４に戻る一方、クラッチペダルの踏み込み操作がされて（クラッチオン）再始動条件が成立したのＹＥＳのときにはステップＳ１２に移行する。
【００３９】
ステップＳ１２では、手動変速機５２のニュートラルスイッチからの信号に基づいて、ニュートラルスイッチがＯＮか否かを判定する。ニュートラルスイッチがＯＮである、つまり手動変速機５２がニュートラル状態であるのＹＥＳのときにはステップＳ１３に移行して、停止時に膨張行程にある気筒１２のピストン１３が所定範囲内に停止しているか否かを判定する。ピストン１３が所定範囲内に停止していて、燃焼始動が可能であるのＹＥＳのときにはステップＳ１４に移行し、燃焼始動によりエンジン１を再始動させる一方、所定範囲内に停止しておらず、燃焼始動が不可能であるのＮＯのときにはステップＳ１５に移行し、始動モータ５４を用いてエンジン１を再始動させる。
【００４０】
一方、ステップＳ１２でニュートラルスイッチがＯＮでない、つまり手動変速機５２がギヤイン状態であるのＮＯのときには、ステップＳ１６に移行し、始動モータ５４を用いてエンジン１を再始動させる。つまりこの場合は、燃焼始動によるエンジン１の再始動は禁止する。
【００４１】
従って、ステップＳ１０、１５，１６によりスタータ始動手段４１が構成され、ステップＳ９，１４により燃焼始動手段４２が構成される。
【００４２】
このように、前記のアイドルストップシステムでは、運転者のクラッチペダルの踏み込み操作に応じてエンジン１の再始動を行う際に、手動変速機５２がニュートラル状態にあるときには、燃焼始動によりエンジン１の再始動を行う（ステップＳ１４）一方で、ギヤイン状態にあるときには、始動モータ５４によりエンジンの再始動を行う（ステップＳ１６）。
【００４３】
前述したように、燃焼始動によりエンジン１を再始動するときには、エンジン１を一旦逆転作動させるため、その逆転作動の最中に、ギヤイン状態の手動変速機５２がクラッチ締結されてしまうと、車両が後退してしまうことになる。
【００４４】
しかしながら、前記のアイドルストップシステムでは、手動変速機５２がギヤイン状態にあるときには燃焼始動によるエンジン１の再始動を禁止して、始動モータ５４によりエンジン１を再始動させるため、クラッチペダルが素早く操作されて、エンジン１の再始動中にクラッチが締結されたとしても、車両は後退しない。
【００４５】
一方、手動変速機５２がニュートラル状態にあるときには、燃焼始動によるエンジン１の再始動が行われる。この場合に、クラッチペダルが素早く操作されて、エンジン１の再始動中にクラッチが締結されたとしても、手動変速機５２がニュートラル状態であるためトルクは伝達されず、車両は後退しない。
【００４６】
尚、図３におけるステップＳ１６を、例えば図４に示すステップＳ１７，Ｓ１８に置き換えてもよい。つまり、手動変速機５２がギヤイン状態にあるときには、警告装置５６による警告を行う（ステップＳ１７）と共に、エンジンストール状態にする（ステップＳ１８）。この場合も、燃焼始動によるエンジン１の再始動が禁止されるため、車両の後退が確実に回避される。尚、この場合、運転者はＩＧスイッチ３３を操作することによって、エンジン１を再始動させることになる。
【産業上の利用可能性】
【００４７】
以上説明したように、本発明は、車両の後退を回避しつつエンジンを再始動することができるから、手動変速機付き車両用エンジンの自動停止始動装置として有用である。
【図面の簡単な説明】
【００４８】
【図１】本発明の実施形態に係るアイドルストップシステムの概略構成図である。
【図２】エンジンの吸気系及び排気系の構成を示す模式図である。
【図３】エンジンの自動停止始動に係る制御を示すフローチャートである。
【図４】他の実施形態に係るエンジンの自動停止始動に係る制御のフローチャートの一部である。
【符号の説明】
【００４９】
１    エンジン
１２  気筒
２    ＥＣＵ（自動停止始動手段）
４１  スタータ始動手段
４２  燃焼始動手段
５４  始動モータ
【図１】
2008215299.tif 000003
【図２】
2008215299.tif 000004
【図３】
2008215299.tif 000005
【図４】
2008215299.tif 000006